(57)【要約】【課題】利用者の予測位置に応じて画像を調整する処理において、できるだけ利用者の予測位置の誤りを生じさせないようにすることを目的とする。【解決手段】本開示の表示装置は、動画を表示する表示部と、利用者の位置を検出する検出部と、フレーム時間及び前記検出部により検出される前記位置の遷移量に基づいて、前記利用者の移動速度を算出する算出部と、前記算出部により算出される前記移動速度が閾値よりも大きい場合には、前記利用者の予測位置を算出し、前記移動速度が閾値以下である場合には、前記予測位置の算出を行わない位置予測部と、前記位置予測部により前記予測位置が算出された場合には、前記予測位置に基づいて前記表示部に表示させる画像の調整を実行する画像調整部とを有する。【選択図】図１
2014195141.tif 000002
【特許請求の範囲】
【請求項１】
動画を表示する表示部と、
利用者の画像に基づいて、前記表示部において前記動画が表示される表示面に対して水平な第１の方向における前記利用者の位置を検出する検出部と、
前記動画を構成する１フレームあたりの表示時間であるフレーム時間、及び前記表示部に第１のフレームが表示されているときに前記検出部により検出される前記位置から、前記第１のフレームよりも表示順が後の第２のフレームが前記表示部に表示されているときに前記検出部により検出される前記位置への遷移量に基づいて、前記利用者の移動速度を算出する算出部と、
前記算出部により算出される前記移動速度が閾値よりも大きい場合には、前記第２のフレームが前記表示部に表示されているときに前記検出部により検出される前記位置、前記第２のフレームが前記表示部に表示されているときの前記位置を検出するために前記検出部が要する検出処理時間、及び前記算出部により算出される前記移動速度を用いて、前記第２のフレームが前記表示部に表示されているときの前記利用者の予測位置を算出し、前記移動速度が閾値以下である場合には、前記予測位置の算出を行わない位置予測部と、
前記位置予測部により前記予測位置が算出された場合には、前記予測位置に基づいて前記表示部に表示させる画像の調整を実行する画像調整部と
を有する表示装置。
【請求項２】
前記検出部は、前記第１の方向における前記利用者の位置、及び前記表示面に対して垂直な第２の方向における利用者の位置を検出し、前記第１の方向及び前記第２の方向における前記利用者の位置に基づいて、前記表示面に対する前記利用者の角度位置を検出し、
前記算出部は、前記フレーム時間、及び前記第１のフレームが表示されているときに前記検出部により検出される前記角度位置から、前記第２のフレームが前記表示部に表示されているときに前記検出部により検出される前記角度位置への遷移量に基づいて、前記利用者の移動角速度を算出し、
前記位置予測部は、前記移動角速度が閾値よりも大きい場合には、前記第２のフレームが前記表示部に表示されているときに前記検出部により検出される前記角度位置、前記第２のフレームが前記表示部に表示されているときの前記角度位置の検出に要する前記検出処理時間、及び前記算出部により算出される前記移動角速度を用いて、前記第２のフレームが前記表示部に表示されるときの前記予測位置を算出し、前記移動角速度が閾値以下である場合には、前記予測位置の算出を行わない請求項１に記載の表示装置。
【請求項３】
前記表示面の側に配置され、前記第１の方向に垂直な第３の方向に延伸する複数の単位領域が、前記第１の方向に列状に配置される視差調整部をさらに有し、
前記表示部は、前記利用者が三次元的に視認できる動画を表示し、
前記位置予測部は、前記利用者の移動角速度に対応する前記利用者の視角移動量が前記単位領域の切替を要する場合には、前記第２のフレームが前記表示部に表示されているときに前記検出部により検出される前記角度位置、前記第２のフレームが前記表示部に表示されているときの前記角度位置の検出に要する前記検出処理時間、及び前記算出部により算出される前記移動角速度に基づいて、前記第２のフレームが前記表示部に表示されるときの前記予測位置を算出し、前記視角移動量が前記単位領域の切替を要しない場合には、前記予測位置の算出を行わず、
前記画像調整部は、前記位置予測部により前記予測位置が算出された場合には、算出された前記予測位置と、前記動画を構成する右眼用画像の画素及び左眼用画像の画素の画素配列とに基づいて、前記視差調整部に含まれる複数の前記単位領域の中から光を透過させる領域の切替を実行する請求項２に記載の表示装置。
【発明の詳細な説明】
【技術分野】
【０００１】
本発明は、表示装置に関する。
【背景技術】
【０００２】
近年、視聴者である利用者が三次元的に視認できる画像（三次元画像）を表示することができる三次元画像表示装置では、利用者の位置を認識し、認識結果に基づいて、表示する画像を調整する技術が存在する。しかしながら、利用者の位置認識処理に時間を要してしまうと、画像の調整に遅延が生じるという問題がある。
【０００３】
図２６は、従来の問題点を説明するための図である。図２６では、表示装置１００が、撮影装置１１０により撮影される利用者Ｕ１の画像に基づいて、利用者Ｕ１の位置を検出し、表示面１２０に表示させる画像を調整する。図２６に示す例では、例えば、利用者Ｕ１が、表示装置１００に対してＸ軸方向に所定の速度で移動する場合を示している。ステップＳ１では、表示装置１００は、画像Ｃ１を表示部１２０に表示している。続くステップＳ２において、仮に、利用者Ｕ１の位置認識処理に時間を要する場合には、位置認識に要した時間の分だけ画像の調整に遅延が生じる。このため、表示装置１００は、利用者Ｕ１に位置に応じて調整した画像Ｃ２を表示部１２０に表示させることができず、表示部１２０には、ステップＳ１における利用者Ｕ１の位置に応じた画像Ｃ１が表示されたままの状態となる。続くステップＳ３においても同様に、表示装置１００は、利用者Ｕ１の位置に応じて調整した画像Ｃ３を表示部１２０に表示させることができず、表示部１２０には、ステップＳ２における利用者Ｕ１の位置に応じた画像Ｃ２が表示されたままの状態となる。続くステップＳ４においても同様に、表示装置１００は、利用者Ｕ１の位置に応じて調整した画像を表示させることができず、表示部１２０には、ステップＳ３における利用者Ｕ１の位置に応じた画像Ｃ３が表示されたままの状態となる。このように、利用者の位置認識処理に費やされる時間が長くなればなるほど、利用者の位置の遷移に追従した画像の調整が難しくなる。このような問題に対処することを目的として、例えば、利用者の位置を予測し、予測した位置に応じて画像を調整することも検討されている。例えば、特許文献１では、視点の軌跡から先の画像表示時刻における視点の位置を予測し、予測位置から見たときの画像を予め生成する技術が開示されている。
【先行技術文献】
【特許文献】
【０００４】
【特許文献１】特開平３−２９６１７６号公報
【発明の概要】
【発明が解決しようとする課題】
【０００５】
利用者の位置を予測し、予測した位置に応じて画像を調整する場合には、画像の調整が予測された位置の精度に左右される。すなわち、利用者の位置の予測を行う頻度が増えるほど、少なからず、予測に誤差を生じる可能性が高まり、利用者の予測位置に誤差が含まれると、少なからず画像の調整に悪影響を与える可能性がある。
【０００６】
本技術は、かかる問題点に鑑みてなされたもので、その目的は、利用者の予測位置に応じて画像を調整する処理において、できるだけ利用者の予測位置の誤りを生じさせないようにすることができる表示装置を提供することにある。
【課題を解決するための手段】
【０００７】
本開示の表示装置は、動画を表示する表示部と、利用者の画像に基づいて、前記表示部において前記動画が表示される表示面に対して水平な第１の方向における前記利用者の位置を検出する検出部と、前記動画を構成する１フレームあたりの表示時間であるフレーム時間、及び前記表示部に第１のフレームが表示されているときに前記検出部により検出される前記位置から、前記第１のフレームよりも表示順が後の第２のフレームが前記表示部に表示されているときに前記検出部により検出される前記位置への遷移量に基づいて、前記利用者の移動速度を算出する算出部と、前記算出部により算出される前記移動速度が閾値よりも大きい場合には、前記第２のフレームが前記表示部に表示されているときに前記検出部により検出される前記位置、前記第２のフレームが前記表示部に表示されているときの前記位置を検出するために前記検出部が要する検出処理時間、及び前記算出部により算出される前記移動速度を用いて、前記第２のフレームが前記表示部に表示されているときの前記利用者の予測位置を算出し、前記移動速度が閾値以下である場合には、前記予測位置の算出を行わない位置予測部と、前記位置予測部により前記予測位置が算出された場合には、前記予測位置に基づいて前記表示部に表示させる画像の調整を実行する画像調整部とを有する。
【０００８】
本開示の表示装置は、利用者の移動速度が閾値以下である場合には、利用者の予測位置の算出を行わない。すなわち、本開示の表示装置は、例えば、移動速度が余り速くない利用者の不規則な微動などに基づいた利用者の位置予測を行わない。このため、本開示の表示装置は、利用者の位置の予測に誤差を生じる可能性をできるだけ排除し、利用者の予測位置の誤りをできるだけ生じさせないようにすることができる。
【発明の効果】
【０００９】
本開示の表示装置は、利用者の予測位置に応じて画像を調整する処理において、できるだけ利用者の予測位置の誤りを生じさせないようにすることができる。
【図面の簡単な説明】
【００１０】
【図１】図１は、実施形態１に係る表示装置の機能構成の一例を示すブロック図である。
【図２】図２は、図１に示す表示装置のバックライトと表示部とバリア部の構成の一例を示す斜視図である。
【図３】図３は、表示部の画素とバリア部の単位領域との関係を示す斜視図である。
【図４】図４は、表示部及びバリア部を実装したモジュールの概略断面構造を表す断面図である。
【図５】図５は、表示部の画素配列を表す回路図である。
【図６】図６は、カラー表示における画素の模式図である。
【図７】図７は、モノクロ表示における画素の模式図である。
【図８】図８は、実施形態１に係る表示装置による処理の概要を説明するための図である。
【図９】図９は、実施形態１に係る表示装置による制御の流れを示すフローチャートである。
【図１０】図１０は、利用者の角度位置の一例を示す図である。
【図１１】図１１は、実施形態２に係る表示装置による制御の流れを示すフローチャートである。
【図１２】図１２は、実施形態３に係る表示装置の制御を説明するための図である。
【図１３】図１３は、本実施形態に係る表示装置を備えた電子機器の一例を示す図である。
【図１４】図１４は、本実施形態に係る表示装置を備えた電子機器の一例を示す図である。
【図１５】図１５は、本実施形態に係る表示装置を備えた電子機器の一例を示す図である。
【図１６】図１６は、本実施形態に係る表示装置を備えた電子機器の一例を示す図である。
【図１７】図１７は、本実施形態に係る表示装置を備えた電子機器の一例を示す図である。
【図１８】図１８は、本実施形態に係る表示装置を備えた電子機器の一例を示す図である。
【図１９】図１９は、本実施形態に係る表示装置を備えた電子機器の一例を示す図である。
【図２０】図２０は、本実施形態に係る表示装置を備えた電子機器の一例を示す図である。
【図２１】図２１は、本実施形態に係る表示装置を備えた電子機器の一例を示す図である。
【図２２】図２２は、本実施形態に係る表示装置を備えた電子機器の一例を示す図である。
【図２３】図２３は、本実施形態に係る表示装置を備えた電子機器の一例を示す図である。
【図２４】図２４は、本実施形態に係る表示装置を備えた電子機器の一例を示す図である。
【図２５】図２５は、本実施形態に係る表示装置を備えた電子機器の一例を示す図である。
【図２６】図２６は、従来の問題点を説明するための図である。
【発明を実施するための形態】
【００１１】
本開示の表示装置を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．実施形態（表示装置）
１−１．実施形態１
１−２．実施形態２
１−３．実施形態３
２．適用例（電子機器）
上記実施形態に係る表示装置が電子機器に適用されている例
３．本開示の構成
【００１２】
以下に説明する各実施形態に係る表示装置は、表示部に積層されるバリア部を制御することにより、三次元画像を表示させる表示装置に適用することができる。表示装置の表示部としては、例えば、液晶表示（ＬＣＤ）パネル、ＭＥＭＳ（Micro  Electro  Mechanical  Systems）などがある。
【００１３】
各実施形態に係る表示装置は、モノクロ表示対応の表示装置、カラー表示対応の表示装置のいずれにも適用できる。ここで、カラー表示対応の表示装置とした場合、カラー画像を形成する単位となる１つの画素（単位画素）が、複数の副画素（サブピクセル）から構成されることになる。より具体的には、カラー表示対応の表示装置では、１つの画素は、例えば、赤色（Ｒｅｄ；Ｒ）を表示する副画素、緑色（Ｇｒｅｅｎ；Ｇ）を表示する副画素、青色（Ｂｌｕｅ；Ｂ）を表示する副画素の３つの副画素から構成される。
【００１４】
１つの画素は、ＲＧＢの３原色の副画素の組み合わせに限定されず、ＲＧＢの３原色の副画素に更に１色あるいは複数色の副画素を加えて１つの画素を構成することも可能である。より具体的には、例えば、輝度向上のために白色（Ｗｈｉｔｅ；Ｗ）を表示する副画素を加えて１つの画素を構成したり、色再現範囲を拡大するために補色を表示する少なくとも１つの副画素を加えて１つの画素を構成したりすることも可能である。
【００１５】
［１−１．実施形態１］
（構成）
図１は、実施形態１に係る表示装置の機能構成の一例を示すブロック図である。図２は、図１に示す表示装置のバックライトと表示部とバリア部の構成の一例を示す斜視図である。図３は、表示部の画素とバリア部の単位領域との関係を示す斜視図である。図２及び図３は模式的に表したものであり、実際の寸法、形状と同一とは限らない。図１に示す表示装置１は、例えば、本開示の表示装置の一例である。
【００１６】
表示装置１は、例えば、所定位置から画面を見ている利用者が裸眼で三次元画像を認識できる画像を表示させる。表示装置１は、図１に示すように、バックライト２と、表示部４と、液晶レンズ６と、撮像部８と、制御部９と、記憶部１０とを有する。表示装置１は、バックライト２、表示部４、及びバリア部６が、例えば、この順で積層されている。
【００１７】
バックライト２は、表示部４に向けて面状の光を出射する面状照明装置である。バックライト２は、例えば、光源と導光板とを有し、光源から出射された光を導光板で表示部４と対面する出射面から出力する。
【００１８】
表示部４は、画像を表示する表示装置である。表示部４は、図３に示すように多数の画素が二次元配列で配置された液晶パネルである。表示部４は、バックライト２から出射された光が入射する。表示部４は、各画素に入射される光を透過させるか、遮断させるかを切り換えることで、表示面（例えば、図２の４Ｓ）に画像を表示させる。
【００１９】
バリア部６は、表示部４の画像が表示される表示面（例えば、図２の４Ｓ）、つまり、バックライト２と対面している面とは反対側の面に配置されている。バリア部６は、表示部４の表示面（例えば、図２の４Ｓ）に対して水平な第１の方向（例えば、図２及び図３に示すＸ軸方向）に垂直な第３の方向（例えば、図２及び図３に示すＹ軸方向）に延伸する複数の単位領域１５０を列状に配置する。バリア部６は、液晶パネルであり、各単位領域１５０に入射される光を、光を射出する側の面（例えば、図２の６Ｓ）から透過させるか、遮断させるかを切り換える。これにより、バリア部６は、表示部４に表示される画像を透過させる領域と遮断させる領域とを調整する。
【００２０】
（表示部４及びバリア部６）
次に、表示部４及びバリア部６の構成例を説明する。図４は、表示部及びバリア部を実装したモジュールの概略断面構造を表す断面図である。図５は、表示部の画素配列を表す回路図である。図６は、カラー表示における画素の模式図である。図７は、モノクロ表示における画素の模式図である。
【００２１】
図４に示すように、表示装置１は、表示部４にバリア部６を積層して構成される。表示部４は、画素基板２０と、この画素基板２０の表面に垂直な方向に対向して配置された対向基板３０と、画素基板２０と対向基板３０との間に挿設された液晶層６０とを備えている。
【００２２】
画素基板２０は、回路基板としてのＴＦＴ基板２１と、このＴＦＴ基板２１上にマトリックス状に配設された複数の画素電極２２とを有する。ＴＦＴ基板２１には、図５に示す各画素５０の薄膜トランジスタ（ＴＦＴ；Ｔｈｉｎ  Ｆｉｌｍ  Ｔｒａｎｓｉｔｏｒ）素子Ｔｒ、各画素電極２２に画素信号を供給する画素信号線ＳＧＬ、各ＴＦＴ素子Ｔｒを駆動する走査信号線ＧＣＬ等の配線が形成されている。このように、画素信号線ＳＧＬは、ＴＦＴ基板２１の表面と平行な平面に延在し、画素に画像を表示するための画素信号を供給する。図５に示す画素基板２０は、マトリックス状に配列した複数の画素５０を有している。画素５０は、ＴＦＴ素子Ｔｒ及び液晶ＬＣを備えている。ＴＦＴ素子Ｔｒは、図５に示す例では、ｎチャネルのＭＯＳ（Ｍｅｔａｌ  Ｏｘｉｄｅ  Ｓｅｍｉｃｏｎｄｕｃｔｏｒ）型のＴＦＴ素子で構成されている。ＴＦＴ素子Ｔｒのソースは画素信号線ＳＧＬに接続され、ゲートは走査信号線ＧＣＬに接続され、ドレインは液晶ＬＣの一端に接続されている。液晶ＬＣは、一端がＴＦＴ素子Ｔｒのドレインに接続され、他端が駆動電極３３に接続されている。
【００２３】
画素５０は、走査信号線ＧＣＬにより、画素基板２０の同じ行に属する他の画素と互いに接続されている。走査信号線ＧＣＬは、ゲートドライバと接続され、ゲートドライバより走査信号（Ｖｓｃａｎ）が供給される。また、画素５０は、画素信号線ＳＧＬにより、画素基板２０の同じ列に属する他の画素と互いに接続されている。画素信号線ＳＧＬは、ソースドライバと接続され、ソースドライバより画素信号（Ｖｐｉｘ）が供給される。さらに、画素５０は、駆動電極３３により、画素基板２０の同じ列に属する他の画素と互いに接続されている。駆動電極３３は、駆動電極ドライバと接続され、駆動電極ドライバより駆動信号（Ｖｃｏｍ）が供給される。つまり、図５に示す例では、同じ一行に属する複数の画素５０が一本の駆動電極３３を共有するようになっている。
【００２４】
表示部４は、ゲートドライバにより走査信号（Ｖｓｃａｎ）を、図５に示す走査信号線ＧＣＬを介して、画素５０のＴＦＴ素子Ｔｒのゲートに印加することにより、画素基板２０にマトリックス状に形成されている画素５０のうちの１行（１水平ライン）を表示駆動の対象として順次選択する。表示部４は、ソースドライバにより画素信号（Ｖｐｉｘ）を、図５に示す画素信号線ＳＧＬを介して、順次選択される１水平ラインを構成する各画素５０にそれぞれ供給する。そして、これらの画素５０では、供給される画素信号（Ｖｐｉｘ）に応じて、１水平ラインの表示が行われるようになっている。表示部４は、駆動信号（Ｖｃｏｍ）を印加し、駆動電極３３を駆動する。
【００２５】
上述したように、表示部４は、走査信号線ＧＣＬを時分割的に線順次走査するように駆動することにより、１水平ラインが順次選択される。また、表示部４は、１水平ラインに属する画素５０に対して、画素信号（Ｖｐｉｘ）を供給することにより、１水平ラインずつ表示が行われる。この表示動作を行う際、表示部４は、その１水平ラインに対応する駆動電極３３を含むブロックに対して駆動信号（Ｖｃｏｍ）を印加するようになっている。
【００２６】
対向基板３０は、ガラス基板３１と、このガラス基板３１の一方の面に形成されたカラーフィルタ３２と、ガラス基板３１とは反対側にあるカラーフィルタ３２の表面上に形成された複数の駆動電極３３とを含む。ガラス基板３１の他方の面には、偏光板３５が配設されている。また、偏光板３５のガラス基板３１側とは反対側の面には、バリア部６が積層されている。
【００２７】
カラーフィルタ３２は、例えば赤（Ｒ）、緑（Ｇ）、青（Ｂ）の３色に着色されたカラーフィルタを周期的に配列して、上述した図５に示す各画素５０にＲ、Ｇ、Ｂの３色が１組として対応付けられている。具体的には、図６に示すように、カラー画像を形成する単位となる１個の画素、すなわち単位画素５は、例えば、複数の副画素（サブピクセル）を含む。この例では、単位画素５は、Ｒを表示する副画素５０Ｒと、Ｂを表示する副画素５０Ｂと、Ｇを表示する副画素５０Ｇとを含む。単位画素５が有する副画素５０Ｒ、５０Ｂ、５０Ｇは、Ｘ方向、すなわち表示装置１の行方向に向かって配列される。カラーフィルタ３２は、ＴＦＴ基板２１の表面に対して鉛直な方向において、液晶層６０と対向する。なお、カラーフィルタ３２は、異なる色に着色されていれば、他の色の組み合わせであってもよい。
【００２８】
単位画素５は、さらに１色又は複数色の副画素を有していてもよい。反射型液晶表示装置がモノクロ表示のみに対応する場合、図７に示すように、モノクロ画像を形成する単位となる１個の画素、すなわち単位画素５Ｍは、画素５０（カラー画像における副画素）に相当する。単位画素５はカラー画像を表示するための基本単位であり、単位画素５Ｍは、モノクロ画像を表示するための基本単位である。
【００２９】
本実施形態に係る駆動電極３３は、表示部４の共通駆動電極（対向電極）として機能する。本実施形態では、１つの駆動電極３３が１つの画素電極２２（１行を構成する画素電極２２）に対応するように配置されている。なお、駆動電極３３は、複数の画素電極２２に共通の板状の電極としてもよい。実施形態に係る駆動電極３３は、ＴＦＴ基板２１の表面に対して鉛直な方向において、画素電極２２に対向し、上述した画素信号線ＳＧＬが延在する方向と平行な方向に延在している。駆動電極３３は、図示しない導電性を有するコンタクト導電柱を介して、駆動電極ドライバから駆動電極３３に交流矩形波形の駆動信号が印加されるようになっている。
【００３０】
液晶層６０は、電界の状態に応じてそこを通過する光を変調するものであり、例えば、ＴＮ（Ｔｗｉｓｔｅｄ  Ｎｅｍａｔｉｃ：ツイステッドネマティック）、ＶＡ（Ｖｉｒｔｉｃａｌ  Ａｌｉｇｎｍｅｎｔ：垂直配向）、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折）等の各種モードの液晶が用いられる。
【００３１】
なお、液晶層６０と画素基板２０との間、及び液晶層６０と対向基板３０との間には、それぞれ配向膜が配設され、また、画素基板２０の下面側には入射側偏光板が配置されてもよい。
【００３２】
バリア部６は、回路基板としてのＴＦＴ基板１２１と、このＴＦＴ基板１２１上に列状に配設された複数の単位領域電極１２２と、ガラス基板１３１と、このガラス基板１３１の単位領域電極１２２側に配置された複数の駆動電極１３３と、ガラス基板１３１の他方の面に配置された偏光板１３５が配設されている。また、ガラス基板１３１の駆動電極１３３側の面と、ＴＦＴ基板１２１の単位領域電極１２２側の面とで挟まれた領域には、液晶層１６０が充填されている。バリア部６は、表示部４の画素電極２２が単位領域電極１２２となり、カラーフィルタ３２が配置されていない点を除いて、基本的に表示部４と同様の構成である。なお、液晶層１６０とＴＦＴ基板１２１との間、及び液晶層１６０とガラス基板１３１との間には、それぞれ配向膜が配設され、また、ＴＦＴ基板１２１の下面側、つまり表示部４側には入射側偏光板が配置されてもよい。
【００３３】
単位領域電極１２２は、図３に示す単位領域１５０と同様の形状であり、第１方向に沿って延在する細長い板形状である。単位領域電極１２２は、第２方向に複数列状に配置されている。
【００３４】
表示部４及びバリア部６は、以上のような構成であり、制御部９からの信号に基づいて、画素電極２２、単位領域電極１２２に印加する電圧を切り換えることで、利用者が三次元で視認する画像を表示させる。
【００３５】
撮像部８は、カメラ等の画像を撮影する機器である。例えば、ヘッドトラッキング技術やアイトラッキング技術では、ともに利用者の画像を撮影し、画像内の利用者の頭部や眼球の位置情報を利用する。
【００３６】
制御部９は、表示装置１の各部の動作を制御する。具体的には、制御部９は、バックライト２の点灯及び消灯や、点灯時の光量及び光の強度を制御し、表示部４に表示させる画像を制御し、バリア部６の各単位領域１５０の動作（透過・遮断）を制御し、撮像部８の撮像動作を制御する。制御部９は、表示部４に表示させる画像及びバリア部６の各単位領域１５０の動作（透過・遮断）を制御することにより、三次元画像の表示を実現する。
【００３７】
制御部９は、例えば、演算装置であるＣＰＵ（Ｃｅｎｔｒａｌ  Ｐｒｏｃｅｓｓｉｎｇ  Ｕｎｉｔ）と、記憶装置であるメモリとを備え、これらのハードウェア資源を用いてプログラムを実行することによって各種の機能を実現することもできる。具体的には、制御部９は、例えば、記憶部１０に記憶されているプログラムを読み出してメモリに展開し、メモリに展開されたプログラムに含まれる命令をＣＰＵに実行させる。そして、制御部９は、ＣＰＵによる命令の実行結果に応じて、バックライト２の点灯及び消灯や、点灯時の光量及び光の強度を制御し、表示部４に表示させる画像を制御し、バリア部６の各単位領域１５０の動作（透過・遮断）を制御したりする。
【００３８】
制御部９は、図１に示すように、検出部９ａ、算出部９ｂ、位置予測部９ｃ、及び画像調整部９ｄを有する。
【００３９】
検出部９ａは、撮像部８により撮影された利用者の画像に基づいて、表示部４において動画が表示される表示面（例えば、図２の４Ｓ）に対して水平な第１の方向（例えば、図２に示すＸ軸方向）における利用者の位置を検出する。例えば、検出部９ａは、利用者の画像から利用者の顔の輪郭を検出し、画像内における利用者の顔の位置を特定することにより、利用者の位置を検出する。あるいは、検出部９ａは、利用者の画像に含まれる瞳孔、虹彩、強膜によって光量の違いに基づいて、画像内における利用者の眼球（右眼及び左眼）の位置を特定することにより、利用者の位置を検出する。検出部９ａは、本開示の検出部の一例である。
【００４０】
算出部９ｂは、利用者の移動速度を算出する。具体的には、算出部９ｂは、表示部４に表示される動画を構成する１フレームあたりの表示時間であるフレーム時間を取得する。例えば、１秒あたり３０フレームであれば、フレーム時間は３０分の１秒となる。なお、動画の再生は、例えば、制御部９が、記憶部１０から動画のデータを読み込んで実行するものとする。続いて、算出部９ｂは、表示部４に第１のフレームが表示されているときに検出部９ａにより検出される利用者の位置と、第１のフレームよりも表示順序が後の第２のフレームが表示部４に表示されているときに検出部９ａにより検出される利用者の位置とを検出部９ａから取得する。算出部９ｂが検出部９ａから取得する利用者の位置は、例えば、図２に示すＸ軸方向における利用者の位置である。そして、算出部９ｂは、表示部４に、第１のフレームが表示されてから第２のフレームが表示されるまでの時間、及び第１のフレームが表示されているときの利用者の位置から、第２のフレームが表示されているときの利用者の位置への遷移量（利用者の移動距離）に基づいて、利用者の移動速度を算出する。算出部９ｂは、本開示の算出部の一例である。
【００４１】
位置予測部９ｃは、利用者の予測位置を算出する。具体的には、位置予測部９ｃは、算出部９ｂにより算出された移動速度が閾値よりも大きい場合には、例えば、上記第２のフレームが表示部４に表示されているときに検出部９ａにより検出される利用者の位置、上記第２のフレームが表示部４に表示されているときの利用者の位置の検出に要する検出部９ａの検出処理時間、及び算出部９ｂにより算出される移動速度を用いて、上記第２のフレームが表示部４に表示されるときの利用者の予測位置を算出する。一方、位置予測部９ｃは、算出部９ｂにより算出された移動速度が閾値以下である場合には、利用者の予測位置の算出を行わない。上記閾値は、利用者の移動速度が、利用者の不規則な微動に相当する速度であるか判定するための値が予め設定され、例えば、０．０１メートル毎秒に設定する。位置予測部９ｃは、本開示の位置予測部の一例である。
【００４２】
画像調整部９ｄは、位置予測部９ｃにより予測位置が算出された場合には、予測位置に基づいて表示部４に表示させる画像の調整を実行する。具体的には、画像調整部９ｄは、位置予測部９ｃにより算出された予測位置に位置する利用者の視線が、表示部４の略中央部に向けられているものと仮定する。続いて、画像調整部９ｄは、利用者の予測位置から表示部４に投影される利用者の視点位置に対応する画像を、利用者の視界で切り取られる画像となるように、再生中の動画の画像を調整する。画像の調整方法としては、例えば、記憶部１０に、動画ごとに、利用者の視点位置に応じて、三次元的な立体表現を可能とするための画像加工用データを予め記憶しておく。そして、画像調整部９ｄは、再生中の動画に対応する加工データのうち、利用者の視点位置に対応する画像加工用データを取得し、取得した画像加工用データを用いて、再生中の動画の画像を調整する。
【００４３】
記憶部１０は、磁気記憶装置または半導体記憶装置等を有する記憶装置を備え、各種のプログラムおよびデータを記憶する。記憶部１０は、例えば、制御部９にて実行される各種の処理を実現するための各種機能を提供するためのプログラムを記憶する。さらに、記憶部１０には、例えば、表示部４に再生表示される動画のデータ、及び利用者の視点位置に応じて、三次元的な立体表現を可能とするための画像加工用データなどを動画ごとに記憶する。
【００４４】
図８は、実施形態１に係る表示装置による処理の概要を説明するための図である。図８では、表示装置１と利用者Ｕ１との位置関係を、表示装置１及び利用者Ｕ１の上部から俯瞰した状態を示している。また、図８では、利用者Ｕ１が、ステップＳ１１〜ステップＳ１４にかけて、図８に示すＸ軸方向へ順に移動している様子を示している。
【００４５】
図８に示すように、表示装置１は、利用者Ｕ１の画像に基づいて、表示部４にフレームＦ１が表示されているときの利用者Ｕ１の位置を検出する（ステップＳ１１参照）。続いて、表示装置１は、再生中の動画のフレーム時間、及び利用者の位置の遷移量に基づいて、利用者Ｕ１の移動速度Ｖ１を算出する（ステップＳ１２参照）。表示装置１は、例えば、表示部４に、フレームＦ１の画像が表示されてからフレームＦ２の画像が表示されるまでのフレーム時間、及び、表示部４にフレームＦ１の画像が表示されているときの利用者Ｕ１の位置から、表示部４にフレームＦ２の画像が表示されているときの利用者Ｕ１の位置への遷移量（利用者Ｕ１のＸ軸方向の移動距離）に基づいて、移動速度Ｖ１を算出する。
【００４６】
続いて、表示装置１は、利用者Ｕ１の移動速度Ｖ１が閾値よりも大きいかを判定し、閾値よりも大きい場合には、表示部４にフレームＦ２の画像が表示されるときの利用者Ｕ１の予測位置Ｐ１を算出する（ステップＳ１２参照）。例えば、表示装置１は、表示部４にフレームＦ２の画像が表示されているときの利用者Ｕ１の位置と、利用者Ｕ１の位置の検出に要する検出処理時間と、移動速度Ｖ１とに基づいて、利用者Ｕ１の予測位置Ｐ１を算出する。すなわち、表示装置１は、表示部４にフレームＦ２の画像が表示されているときの利用者Ｕ１の位置に対して、利用者Ｕ１の位置が認識されるまでの処理時間の間に利用者Ｕ１が移動する距離を加算することにより、予測位置Ｐ１を算出する。これにより、利用者の位置認識に要する内部的な処理遅延に対処した利用者の位置の予測が可能となる。なお、表示装置１は、利用者Ｕ１の移動速度Ｖ１が閾値よりも大きいかを判定し、閾値以下である場合には、表示部４にフレームＦ２の画像が表示されるときの利用者Ｕ１の予測位置の算出を実行しない。
【００４７】
続いて、表示装置１は、利用者Ｕ１の予測位置Ｐ１に基づいて、表示部４に表示しているフレームＦ２の画像を調整する（ステップＳ１３）。
【００４８】
動画を再生中である場合、表示装置１は、引き続き、再生中の動画のフレーム時間、及び利用者Ｕ１の位置の遷移量に基づいて、利用者Ｕ１の移動速度Ｖ２を算出する（ステップＳ１３参照）。表示装置１は、例えば、表示部４に、フレームＦ２の画像が表示されてからフレームＦ３の画像が表示されるまでのフレーム時間、及び、表示部４にフレームＦ２の画像が表示されているときの利用者Ｕ１の位置から、表示部４にフレームＦ３の画像が表示されているときの利用者Ｕ１の位置への遷移量（利用者Ｕ１のＸ軸方向の移動距離）に基づいて、移動速度Ｖ２を算出する。
【００４９】
続いて、表示装置１は、利用者Ｕ１の移動速度Ｖ２が閾値よりも大きいかを判定し、閾値よりも大きい場合には、上記ステップＳ１２と同様に、表示部４にフレームＦ３の画像が表示されるときの利用者Ｕ１の予測位置Ｐ２を算出する（ステップＳ１３参照）。例えば、表示装置１は、表示部４にフレームＦ３の画像が表示されているときの利用者Ｕ１の位置と、利用者Ｕ１の位置の検出に要する検出処理時間と、移動速度Ｖ２とに基づいて、利用者Ｕ１の予測位置Ｐ２を算出する。なお、表示装置１は、利用者Ｕ１の移動速度Ｖ２が閾値よりも大きいかを判定し、閾値以下である場合には、表示部４にフレームＦ３の画像が表示されるときの利用者Ｕ１の予測位置の算出を実行しない。
【００５０】
続いて、表示装置１は、利用者Ｕ１の予測位置Ｐ２に基づいて、表示部４に表示されているフレームＦ３の画像を調整する（ステップＳ１４）。
【００５１】
以後、動画を再生中である場合には、表示装置１は、上記ステップＳ１２及びステップＳ１３と同様の処理を繰り返し実行する。すなわち、表示装置１は、再生中の動画のフレーム時間、及び利用者Ｕ１の位置の遷移量に基づいて、利用者Ｕ１の移動速度Ｖ３を算出する（ステップＳ１４参照）。続いて、表示装置１は、利用者Ｕ１の移動速度Ｖ３が閾値よりも大きい場合には、表示部４にフレームＦ４の画像が表示されるときの利用者Ｕ１の予測位置を算出し、利用者Ｕ１の予測位置Ｐ３に基づいて、表示部４に表示されているフレームＦ４の画像を調整する。
【００５２】
（制御部９による制御の流れ）
図９を用いて、実施形態１に係る表示装置による制御の流れを説明する。図９は、実施形態１に係る表示装置による制御の流れを示すフローチャートである。図９に示す制御は、例えば、動画の再生開始とともに実行される。
【００５３】
図９に示すように、制御部９は、撮像部８により取得した画像に基づいて、利用者の位置を検出し、再生中の動画のフレーム時間、及び利用者の位置の遷移量に基づいて、以下の式（１）により、利用者の移動速度“Ｖｘ”を算出する（ステップＳ１０１）。以下の式（１）に示す“Ｘｎｅｗ”は、第２のフレームの画像が表示部４に表示されているときの利用者の検出位置を示す。以下の式（１）に示す“Ｘｏｌｄ”は、第２のフレームよりも表示順序が前の第１のフレームが表示部４に表示されているときの利用者の検出位置を示す。以下の式（１）に示す“Ｔｃ”は、フレーム時間を示す。
【００５４】
【数１】
2014195141.tif 000003
【００５５】
続いて、制御部９は、ステップＳ１０１にて算出した移動速度“Ｖｘ”が閾値“Ｖｔｈ”よりも大きいかを判定する（ステップＳ１０２）。
【００５６】
制御部９は、判定の結果、移動速度“Ｖｘ”が閾値“Ｖｔｈ”よりも大きい場合には（ステップＳ１０２，Ｙｅｓ）、以下の式（２）を用いて、利用者の予測位置“Ｘ´ｎｅｗ”を算出する（ステップＳ１０３）。以下の式（２）に示す“Ｔｄｅｌａｙ”は、利用者の位置検出に要する処理時間を示す。
【００５７】
【数２】
2014195141.tif 000004
【００５８】
続いて、制御部９は、ステップＳ１０３にて算出した予測位置“Ｘ´ｎｅｗ”に応じて、表示部４に表示されている画像を調整する（ステップＳ１０４）。そして、制御部９は、動画を再生中であるかを判定する（ステップＳ１０５）。
【００５９】
制御部９は、判定の結果、動画を再生中である場合には（ステップＳ１０５，Ｙｅｓ）、上記ステップＳ１０１の手順に戻り、図９に示す制御を継続する。一方、制御部９は、判定の結果、動画を再生中ではない場合には（ステップＳ１０５，Ｎｏ）、図９に示す制御を終了する。
【００６０】
上記ステップＳ１０２において、制御部９は、ステップＳ１０１にて算出した移動速度“Ｖｘ”が閾値“Ｖｔｈ”よりも大きいかを判定した結果、移動速度“Ｖｘ”が閾値“Ｖｔｈ”以下である場合には（ステップＳ１０２，Ｎｏ）、利用者の予測位置“Ｘ´ｎｅｗ”の算出を実行しない。制御部９は、以下の式（３）に示すように、利用者の予測位置“Ｘ´ｎｅｗ”が、検出位置“Ｘｎｅｗ”と同じであるものとして取り扱う。そして、制御部９は、上記ステップＳ１０５の手順に移り、動画を再生中であるかを判定する。
【００６１】
【数３】
2014195141.tif 000005
【００６２】
上述してきたように、実施形態１では、表示装置１は、利用者の移動速度が閾値以下である場合には、利用者の予測位置の算出を行わない。すなわち、本開示の表示装置は、例えば、移動速度が余り速くない利用者の不規則な微動などに基づいた利用者の位置予測を行わない。このため、本開示の表示装置は、利用者の位置の予測に誤差を生じる可能性をできるだけ排除し、利用者の予測位置の誤りを生じさせないようにすることができる。
【００６３】
［１−２．実施形態２］
実施形態２に係る表示装置の機能構成について説明する。実施形態２に係る表示装置は、以下に説明する点が実施形態１とは異なる。
【００６４】
検出部９ａは、表示部４において動画が表示される表示面（例えば、図２に示す４Ｓ）に対して水平な第１の方向（例えば、図２に示すＸ軸方向）における利用者の位置、及び表示面に対して垂直な第２の方向（例えば、図２に示すＺ軸方向）における利用者の位置を検出する。続いて、検出部９ａは、第１の方向及び第２の方向における利用者の位置に基づいて、表示面に対する利用者の角度位置を検出する。図１０は、利用者の角度位置の一例を示す図である。なお、検出部９ａは、例えば、表示部４の表示面４Ｓ上の所定点４Ｐを起点として、Ｘ軸方向及びＺ軸方向における位置の三角関数により、利用者の角度位置（例えば、θα，θβ）を定量的に検出する。
【００６５】
算出部９ｂは、表示部４に第１のフレームが表示されているときに検出部９ａにより検出される利用者の角度位置と、第１のフレームよりも表示順序が後の第２のフレームが表示部４に表示されているときに検出部９ａにより検出される利用者の角度位置とを検出部９ａから取得する。続いて、算出部９ｂは、表示部４に、第１のフレームが表示されてから第２のフレームが表示されるまでの時間、及び第１のフレームが表示されているときの利用者の角度位置から、第２のフレームが表示されているときの利用者の角度位置への遷移量に基づいて、利用者の移動角速度を算出する。
【００６６】
位置予測部９ｃは、算出部９ｂにより算出された移動角速度が閾値よりも大きい場合には、例えば、上記第２のフレームが表示部４に表示されているときに検出部９ａにより検出される角度位置、上記第２のフレームが表示部４に表示されているときの角度位置の検出に要する検出部９ａの検出処理時間、及び算出部９ｂにより算出される移動角速度を用いて、上記第２のフレームが表示部４に表示されるときの利用者の予測位置を算出する。一方、位置予測部９ｃは、算出部９ｂにより算出された移動角速度が閾値以下である場合には、利用者の予測位置の算出を行わない。
【００６７】
（制御部９による制御の流れ）
図１１を用いて、実施形態２に係る表示装置による制御の流れを説明する。図１１は、実施形態２に係る表示装置による制御の流れを示すフローチャートである。図１１に示す制御は、例えば、動画の再生開始とともに実行される。
【００６８】
図１１に示すように、制御部９は、撮像部８により取得した画像に基づいて、利用者の位置を検出し、検出した位置から、以下の式（４）及び式（５）に基づいて、利用者の角度位置を検出する（ステップＳ２０１）。以下の式（４）に示す“Ｘｎｅｗ”は、第２のフレームの画像が表示部４に表示されているときの利用者のＸ軸方向（図１０など参照）の検出位置を示す。以下の式（４）に示す“Ｚｎｅｗ”は、第２のフレームの画像が表示部４に表示されているときの利用者のＺ軸方向（図１０など参照）の検出位置を示す。以下の式（５）に示す“Ｘｏｌｄ”は、第２のフレームよりも表示順序が前の第１のフレームの画像が表示部４に表示されているときの利用者のＸ軸方向（図１０など参照）の検出位置を示す。以下の式（５）に示す“Ｚｏｌｄ”は、第２のフレームよりも表示順序が前の第１のフレームの画像が表示部４に表示されているときの利用者のＺ軸方向（図１０など参照）の検出位置を示す。
【００６９】
【数４】
2014195141.tif 000006
【００７０】
【数５】
2014195141.tif 000007
【００７１】
続いて、制御部９は、再生中の動画のフレーム時間、及びステップＳ２０１で検出した利用者の角度位置の遷移量に基づいて、以下の式（６）により、利用者の移動角速度“Ｖθ”を算出する（ステップＳ２０２）。
【００７２】
【数６】
2014195141.tif 000008
【００７３】
続いて、制御部９は、ステップＳ２０２にて算出した移動角速度“Ｖθ”が閾値“Ｖθｔｈ”よりも大きいかを判定する（ステップＳ２０３）。閾値“Ｖθｔｈ”は、上記実施形態１における制御部９の処理で用いた閾値“Ｖｔｈ”を、以下の式（７）に基づいて換算することにより求められる。以下の式（７）により、閾値を角速度に合わせて換算することにより、利用者のＺ軸方向（図１０など参照）の動きを考慮した判定を実現することができる。
【００７４】
【数７】
2014195141.tif 000009
【００７５】
制御部９は、判定の結果、移動角速度“Ｖθ”が閾値“Ｖθｔｈ”よりも大きい場合には（ステップＳ２０３，Ｙｅｓ）、以下の式（８）を用いて、利用者の予測位置“θ´ｎｅｗ”を算出する（ステップＳ２０４）。
【００７６】
【数８】
2014195141.tif 000010
【００７７】
続いて、制御部９は、ステップＳ２０４にて算出した予測位置“θ´ｎｅｗ”に応じて、表示部４に表示されている画像を調整する（ステップＳ２０５）。そして、制御部９は、動画を再生中であるかを判定する（ステップＳ２０６）。
【００７８】
制御部９は、判定の結果、動画を再生中である場合には（ステップＳ２０６，Ｙｅｓ）、上記ステップＳ２０１の手順に戻り、図１１に示す制御を継続する。一方、制御部９は、判定の結果、動画を再生中ではない場合には（ステップＳ２０６，Ｎｏ）、図１１に示す制御を終了する。
【００７９】
上記ステップＳ２０３において、制御部９は、ステップＳ２０２にて算出した移動角速度“Ｖθ”が閾値“Ｖθｔｈ”よりも大きいかを判定した結果、移動角速度“Ｖθ”が閾値“Ｖθｔｈ”以下である場合には（ステップＳ２０３，Ｎｏ）、利用者の予測位置“θ´ｎｅｗ”の算出を実行しない。制御部９は、以下の式（９）に示すように、利用者の予測位置“θ´ｎｅｗ”が、検出位置“θｎｅｗ”と同じであるものとして取り扱う。そして、制御部９は、上記ステップＳ２０６の手順に移り、動画を再生中であるかを判定する。
【００８０】
【数９】
2014195141.tif 000011
【００８１】
［１−３．実施形態３］
実施形態３に係る表示装置の機能構成について説明する。実施形態３に係る表示装置１は、バリア部６を制御することにより、表示部４に表示する右眼用画像を利用者の右眼に入射させ、表示部４に表示する左眼用画像を利用者の左眼に入射させるように調整することにより、視聴者である利用者が三次元的に視認できる画像（三次元画像）を表示部４に表示させる処理を実行する。実施形態３において、表示装置１は、以下に説明するように、利用者の視差が確保されるように、利用者が移動する速度が閾値を超える場合には、利用者の予測位置に応じて、バリア部６の光の透過を制御する処理を実現する。
【００８２】
検出部９ａは、上記実施形態２と同様に、利用者の角度位置を検出する。すなわち、検出部９ａは、表示部４において動画が表示される表示面（例えば、図２に示す４Ｓ）に対して水平な第１の方向（例えば、図２に示すＸ軸方向）における利用者の位置、及び表示面に対して垂直な第２の方向（例えば、図２に示すＺ軸方向）における利用者の位置を検出する。続いて、検出部９ａは、第１の方向及び第２の方向における利用者の位置に基づいて、表示面に対する利用者の角度位置（図１０など参照）を検出する。
【００８３】
算出部９ｂは、上記実施形態２と同様に、利用者の移動角速度を算出する。すなわち、算出部９ｂは、表示部４に第１のフレームが表示されているときに検出部９ａにより検出される利用者の角度位置と、第１のフレームよりも表示順序が後の第２のフレームが表示部４に表示されているときに検出部９ａにより検出される利用者の角度位置とを検出部９ａから取得する。続いて、算出部９ｂは、表示部４に、第１のフレームが表示されてから第２のフレームが表示されるまでの時間、及び第１のフレームが表示されているときの利用者の角度位置から、第２のフレームが表示されているときの利用者の角度位置への遷移量に基づいて、利用者の移動角速度を算出する。
【００８４】
位置予測部９ｃは、利用者の移動角速度に対応する利用者の視角移動量が、バリア部６の単位領域１５０の切替を要するかを判定する。以下、図１２を用いて、位置予測部９ｃによる判定について説明する。図１２は、実施形態３に係る表示装置の制御を説明するための図である。図１２では、所定の接着剤層を介して積層される表示部４及びバリア部６の概略断面を示している。図１２に示す“θ´ｍｉｎ”は、視点角切替の単位角度である。図１２に示す“θ´０”は、最適視角である。図１２に示す“θ´１”は、最適視角と視点角切替の単位角度との合算角度である。図１２に示す“θ０”は、最適視角のパネル内角度（バリア部６の内側における視角）である。図１２に示す“θ１”は、最適視角と視点角切替の単位角度との合算角度のパネル内角度（バリア部６の内側における視角）である。図１２に示す“Ｐpanel”は、画素パターンのピッチ（パネルピッチ）である。図１２に示す“ＰBarrier”は、バリアパターンのピッチ（バリアピッチ）である。図１２に示す“ｈ”は、バリアパターン（バリア部６）と、画素（表示部４）との間隔である。
【００８５】
図１２に示すように、表示部４及びバリア部６は、接着層２００を介して、図１２に示す順に積層されているバリア部６は、表示部４の表示面（例えば、図２の４Ｓ）に対して水平な第１の方向（例えば、図２及び図３に示すＸ軸方向）に垂直な第３の方向（例えば、図２及び図３に示すＹ軸方向）に延伸する複数の単位領域１５０を列状に配置する。バリア部６は、本開示の視差調整部の一例である。
【００８６】
図１２に示す単位角度“θ´ｍｉｎ”は、以下の式（１０）で表すことができる。単位角度“θ´ｍｉｎ”は、バリア部６の光の透過を制御するための視点角の単位角度である。
【００８７】
【数１０】
2014195141.tif 000012
【００８８】
スネルの公式を用いて、図１２に示すバリア部６の内側の視角“θ´１”、及び図１２に示すバリア部６の外側における視角“θ´０”は、以下の式（１１）で表すことができる。
【００８９】
【数１１】
2014195141.tif 000013
【００９０】
ここで、θは、例えば、中心角（０度）に近く、十分に小さいものとみなして、以下の式（１２）に示すように、上記式（１１）を近似する。
【００９１】
【数１２】
2014195141.tif 000014
【００９２】
また、図１２に示すバリア部６の内側の視角“θ０”及び視角“θ１”は、図１２に示す表示部４のパネルピッチ“Ｐpanel”、図１２に示すバリア部６のバリアピッチ“ＰBarrier”、及び図１２に示す表示部４とバリア部６との間隔“ｈ”を用いて、以下の式（１３）により表すことができる。
【００９３】
【数１３】
2014195141.tif 000015
【００９４】
上記と同様に、θは十分に小さいものとみなして、上記式（１３）を近似すると、視点角の切替が必要となる単位角度“θ´ｍｉｎ”は、以下の式（１４）で表すことができる。
【００９５】
【数１４】
2014195141.tif 000016
【００９６】
算出部９ｂにより算出される利用者の移動角速度“Ｖθ”が一定であると仮定した場合、以下の式（１５）に示すように、検出部９ａにおける処理時間“ＴＤｅｌａｙ”を加味した視角移動量“ＶθＴＤｅｌａｙ”が単位角度“θ´ｍｉｎ”以下であれば、利用者の視角のずれを、バリア部６の単位領域１５０内に抑えることができる。
【００９７】
【数１５】
2014195141.tif 000017
【００９８】
上記式（１５）から、利用者の移動角速度“Ｖθ”に対応する視角移動量が単位角度“θ´ｍｉｎ”以下となるときの閾値速度を、以下の式（１６）による得ることができる。
【００９９】
【数１６】
2014195141.tif 000018
【０１００】
位置予測部９ｃは、算出部９ｂにより算出される利用者の移動角速度“Ｖθ”が、上記式（１６）に示す閾値速度よりも大きいかを判定することにより、利用者の移動角速度“Ｖθ”に対応する視角移動量が単位角度“θ´ｍｉｎ”以下となるかを判定する。位置予測部９ｃは、移動角速度“Ｖθ”が上記式（１６）に示す閾値速度よりも大きい場合には、利用者の予測位置の算出を行う。例えば、位置予測部９ｃは、上記第２のフレームが表示部４に表示されているときに検出部９ａにより検出される角度位置、上記第２のフレームが表示部４に表示されているときの角度位置の検出に要する検出部９ａの検出処理時間、及び算出部９ｂにより算出される移動角速度を用いて、上記第２のフレームが表示部４に表示されるときの利用者の予測位置を算出する。一方、位置予測部９ｃは、移動角速度“Ｖθ”が上記式（１６）に示す閾値速度以下である場合には、利用者の予測位置の算出する処理そのものを実行しない。
【０１０１】
画像調整部９ｄは、位置予測部９ｃにより予測位置が算出された場合には、算出された予測位置と、動画を構成する右眼用画像の画素及び左眼用画像の画素の画素配列とに基づいて、バリア部６に含まれる複数の単位領域１５０の中から光を透過させる領域の切替を実行する。
【０１０２】
このようにして、実施形態３に係る表示装置１は、利用者の視差が確保されるように、利用者が移動する速度が閾値を超える場合には、利用者の予測位置に応じて、バリア部６の光の透過を制御する処理を実現する。
【０１０３】
［２．適用例］
本開示の適用例として、上述した表示装置１を電子機器に適用した例を説明する。
【０１０４】
図１３乃至図２５は、本実施形態に係る表示装置を備えた電子機器の一例を示す図である。本実施形態に係る表示装置１は、携帯電話、スマートフォン等の携帯端末装置、テレビジョン装置、デジタルカメラ、ノート型パーソナルコンピュータ、ビデオカメラ、或いは、車両に設けられるメータ類などのあらゆる分野の電子機器に適用することが可能である。言い換えると、本実施形態に係る表示装置１は、外部から入力された映像信号或いは内部で生成した映像信号を、画像或いは映像として表示するあらゆる分野の電子機器に適用することが可能である。電子機器は、表示装置に映像信号を供給し、表示装置の動作を制御する制御装置を備える。
【０１０５】
（適用例１）
図１３に示す電子機器は、本実施形態に係る表示装置１が適用されるテレビジョン装置である。このテレビジョン装置は、例えば、フロントパネル５１１及びフィルターガラス５１２を含む映像表示画面部５１０を有しており、この映像表示画面部５１０は、本実施形態に係る表示装置である。
【０１０６】
（適用例２）
図１４及び図１５に示す電子機器は、本実施形態に係る表示装置１が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態に係る表示装置である。図１４に示すように、このデジタルカメラは、レンズカバー５２５を有しており、レンズカバー５２５をスライドさせることで撮影レンズが現れる。デジタルカメラは、その撮影レンズから入射する光を撮像することで、デジタル写真を撮影することができる。
【０１０７】
（適用例３）
図１６に示す電子機器は、本実施形態に係る表示装置１が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態に係る表示装置である。
【０１０８】
（適用例４）
図１７に示す電子機器は、本実施形態に係る表示装置１が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態に係る表示装置により構成されている。
【０１０９】
（適用例５）
図１８〜図２４に示す電子機器は、本実施形態に係る表示装置１が適用される携帯電話機である。図１８は携帯電話機を開いた状態での正面図、図１９は携帯電話機を開いた状態での右側面図、図２０は携帯電話機を折りたたんだ状態での上面図、図２１は携帯電話機を折りたたんだ状態での左側面図、図２２は携帯電話機を折りたたんだ状態での右側面図、図２３は携帯電話機を折りたたんだ状態での背面図、図２４は携帯電話機を折りたたんだ状態での左前面図である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４又はサブディスプレイ５５５は、本実施形態に係る表示装置により構成されている。携帯電話機のディスプレイ５５４は、画像を表示する機能の他に、タッチ動作を検出する機能を有していてもよい。
【０１１０】
（適用例６）
図２５に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、本実施形態に係る表示装置である。
【０１１１】
［３．本開示の構成］
また、本開示は、以下の構成をとることもできる。
【０１１２】
（１）動画を表示する表示部と、利用者の画像に基づいて、前記表示部において前記動画が表示される表示面に対して水平な第１の方向における前記利用者の位置を検出する検出部と、前記動画を構成する１フレームあたりの表示時間であるフレーム時間、及び前記表示部に第１のフレームが表示されているときに前記検出部により検出される前記位置から、前記第１のフレームよりも表示順が後の第２のフレームが前記表示部に表示されているときに前記検出部により検出される前記位置への遷移量に基づいて、前記利用者の移動速度を算出する算出部と、前記算出部により算出される前記移動速度が閾値よりも大きい場合には、前記第２のフレームが前記表示部に表示されているときに前記検出部により検出される前記位置、前記第２のフレームが前記表示部に表示されているときの前記位置を検出するために前記検出部が要する検出処理時間、及び前記算出部により算出される前記移動速度を用いて、前記第２のフレームが前記表示部に表示されているときの前記利用者の予測位置を算出し、前記移動速度が閾値以下である場合には、前記予測位置の算出を行わない位置予測部と、前記位置予測部により前記予測位置が算出された場合には、前記予測位置に基づいて前記表示部に表示させる画像の調整を実行する画像調整部とを有する表示装置。
【０１１３】
（２）前記検出部は、前記第１の方向における前記利用者の位置、及び前記表示面に対して垂直な第２の方向における利用者の位置を検出し、前記第１の方向及び前記第２の方向における前記利用者の位置に基づいて、前記表示面に対する前記利用者の角度位置を検出し、前記算出部は、前記フレーム時間、及び前記第１のフレームが表示されているときに前記検出部により検出される前記角度位置から、前記第２のフレームが前記表示部に表示されているときに前記検出部により検出される前記角度位置への遷移量に基づいて、前記利用者の移動角速度を算出し、前記位置予測部は、前記移動角速度が閾値よりも大きい場合には、前記第２のフレームが前記表示部に表示されているときに前記検出部により検出される前記角度位置、前記第２のフレームが前記表示部に表示されているときの前記角度位置の検出に要する前記検出処理時間、及び前記算出部により算出される前記移動角速度を用いて、前記第２のフレームが前記表示部に表示されるときの前記予測位置を算出し、前記移動角速度が閾値以下である場合には、前記予測位置の算出を行わない上記（１）に記載の表示装置。
【０１１４】
（３）前記表示面の側に配置され、前記第１の方向に垂直な第３の方向に延伸する複数の単位領域が、前記第１の方向に列状に配置される視差調整部をさらに有し、前記表示部は、前記利用者が三次元的に視認できる動画を表示し、前記位置予測部は、前記利用者の移動角速度に対応する前記利用者の視角移動量が前記単位領域の切替を要する場合には、前記第２のフレームが前記表示部に表示されているときに前記検出部により検出される前記角度位置、前記第２のフレームが前記表示部に表示されているときの前記角度位置の検出に要する前記検出処理時間、及び前記算出部により算出される前記移動角速度に基づいて、前記第２のフレームが前記表示部に表示されるときの前記予測位置を算出し、前記視角移動量が前記単位領域の切替を要しない場合には、前記予測位置の算出を行わず、前記画像調整部は、前記位置予測部により前記予測位置が算出された場合には、算出された前記予測位置と、前記動画を構成する右眼用画像の画素及び左眼用画像の画素の画素配列とに基づいて、前記視差調整部に含まれる複数の前記単位領域の中から光を透過させる領域の切替を実行する上記（２）に記載の表示装置。
【符号の説明】
【０１１５】
１  表示装置
２  バックライト
４  表示部
６  バリア部
８  撮像部
９  制御部
【図１】
2014195141.tif 000019
【図２】
2014195141.tif 000020
【図３】
2014195141.tif 000021
【図４】
2014195141.tif 000022
【図５】
2014195141.tif 000023
【図６】
2014195141.tif 000024
【図７】
2014195141.tif 000025
【図８】
2014195141.tif 000026
【図９】
2014195141.tif 000027
【図１０】
2014195141.tif 000028
【図１１】
2014195141.tif 000029
【図１２】
2014195141.tif 000030
【図１３】
2014195141.tif 000031
【図１４】
2014195141.tif 000032
【図１５】
2014195141.tif 000033
【図１６】
2014195141.tif 000034
【図１７】
2014195141.tif 000035
【図１８】
2014195141.tif 000036
【図１９】
2014195141.tif 000037
【図２０】
2014195141.tif 000038
【図２１】
2014195141.tif 000039
【図２２】
2014195141.tif 000040
【図２３】
2014195141.tif 000041
【図２４】
2014195141.tif 000042
【図２５】
2014195141.tif 000043
【図２６】
2014195141.tif 000044